【事件の表示】
　上記当事者間の登録第４３７９３４４号商標の登録取消審判事件について，次のとおり審決する。
【結　論】
　本件審判の請求は，成り立たない。
　審判費用は，請求人の負担とする。
【理　由】
第１　本件商標
　本件登録第４３７９３４４号商標（以下「本件商標」という。）は，別掲のとおりの構成からなり，平成１１年５月２７日に登録出願，第１８類「かばん類，袋物，携帯用化粧道具入れ，かばん金具，がま口口金，皮革，傘，ステッキ，つえ，つえ金具，つえの柄，愛玩動物用被服，乗馬用具」を指定商品として，同１２年４月２８日に設定登録されたものである。
　そして，本件審判の請求の登録日は，平成２９年４月１３日である。
第２　請求人の主張
　請求人は，本件商標の登録を取り消す，審判費用は被請求人の負担とする，との審決を求め，その理由を以下のように述べ，証拠方法として甲第１号証を提出した。
１　請求の理由
　本件商標は，その指定商品について，継続して３年以上日本国内において商標権者，専用使用権者又は通常使用権者のいずれも使用した事実が存しないから，その登録は商標法第５０条第１項の規定により取り消されるべきものである。
２　請求人は，被請求人の答弁に対して，何ら弁駁していない。
第３　被請求人の答弁
　被請求人は，結論同旨の審決を求めると答弁し，その理由を要旨以下のように述べ，証拠方法として乙第１号証ないし乙第３号証を提出した。
１　本件商標は，以下のとおり，その指定商品中「財布」について，本件審判の請求の登録前３年以内（以下「要証期間」という。）に日本国内において，本件商標権者により使用されていた事実がある。
（１）商標の使用態様
　乙第１号証は，被請求人が販売した「品番ＬＨ０１３」の商品「財布」の写真であるが，その表面には「ＬＩＯＮ　ＨＥＡＲＴ」の欧文字からなる商標が付されている。
　なお，当該商標は，本件商標とは書体が異なるが，本件商標の書体のみに変更を加えた同一の文字からなる商標であるから，本件商標と社会通念上同一の商標にあたる。
（２）商品「財布」の販売時期及びその証拠
　被請求人は，商品「財布」を大阪市中央区東心斎橋所在の株式会社ドウシシャ（以下「ドウシシャ社」という。）から仕入れ，自己の運営する店舗で販売している。
　ア　仕入伝票（乙２）
　乙第２号証は，ドウシシャ社が，被請求人に対し，平成２６年（２０１４年）４月２５日に，商品「財布」を販売した際の仕入伝票であり，品名の欄の「Ｌ／Ｈ　ラウンド財布」の「ＬＨ０１３」の記載は，商品の品番を示している。
　なお，品名の欄の末尾の「ＢＬＫ」，「ＮＶＹ」との表示は「財布」の色彩（それぞれ，ブラック，ネイビー）を表しており，上段の「ＢＬＫ（ブラック）」の商品が，乙第１号証の写真に掲載の「財布」である。
　イ　商品別売上明細表（乙３）
　乙第３号証は，被請求人が顧客に対し，商品「財布」を販売した実績を示す明細表である。
　この書面は，被請求人が運営する実店舗及びインターネットモールでの販売実績を示しているが，平成２６年（２０１４年）２月２８日から平成２７年（２０１５年）１月３１日までの間，被請求人が運営する店舗及びインターネットモールにおいて，商品「財布」が顧客に販売されていることが分かる。
２　結論
　以上のとおり，被請求人は，本件審判の請求に係る指定商品中，第１８類「袋物」に含まれる「財布」について，本件商標と社会通念上同一の商標を，要証期間に使用している。
第４　当審の判断
１　被請求人の主張及び同人が提出した乙各号証によれば，以下のとおりである。
（１）乙第１号証は，ファッション通販ウェブサイト「ＭＡＧＡＳＥＥＫ」の画面印刷とするものであるところ，その１葉目には，「２０１７　ＳＵＭＭＥＲ　ｐｒｅ　ｓａｌｅ　ＭＡＸ７０％ＯＦＦ」として，黒色の商品「財布」の写真が掲載され，その右側には，「ライオンハート」，「★ＬＩＯＮ　ＨＥＡＲＴ／長財布（ラウンドファスナー付き）」，値下げ前の「￥１１，８８０（税込）」，値下げ後の「￥５，９４０（税込）」及び「カラーを選択：ブラック」の記載があり，写真の下には，「ショップ：ＬＩＯＮ　ＨＥＡＲＴ（ライオンハート）」及び「メーカー品番：ＬＨ０１３」の記載がある。
　そして，３葉目には，１葉目の写真を拡大した写真が掲載されているところ，当該財布の中央上部にセリフ体で書された「ＬＩＯＮ　ＨＥＡＲＴ」の欧文字（以下「使用商標」という。）が表示されている。
（２）乙第２号証は，取引先名を「株式会社ドウシシャ」とする，２０１４年（平成２６年）４月２５日付けの本件商標権者名の「仕入伝票」であるところ，「品名・規格」の項に「Ｌ／Ｈ　ラウンド財布　ＬＨ０１３　ＢＬＫ」，「数量」の項に「３５」，「原単価」の項に「３２００円」の記載がある。
（３）乙第３号証は，集計期間を２０１４年（平成２６年）２月１日ないし２０１５年（平成２７年）１月３１日とする，本件商標権者名の「商品別売上明細表」であるところ，明細の１７行目には，「売上日付」の欄に「２０１４／５／３１」の記載，「得意先略称」の欄に「ＭＡＧＡＳＥＥＫ（ＬＨ）」の記載，「商品コード」及び「商品名」の欄に「ＬＨ０１３／ＢＫ」の記載，「税抜純売上高」の欄に「１１０００」の記載がある。
２　上記１によれば，以下のとおり判断できる。
（１）使用商標，使用商品及び使用時期について
　本件商標権者は，品名及び規格を「Ｌ／Ｈ　ラウンド財布　ＬＨ０１３　ＢＬＫ」とする商品「財布」を，要証期間に含まれる２０１４年（平成２６年）４月２５日にドウシシャ社から仕入れ，同年５月３１日に，ファッション通販ウェブサイトを運営する「ＭＡＧＡＳＥＥＫ」を介して，１１，０００円（税抜き）で顧客に販売したものと認められる。
　そして，上記の商品コード及び商品名「ＬＨ０１３」，カラー「ＢＬＫ（ＢＫ）」及び価格は，ファッション通販ウェブサイト「ＭＡＧＡＳＥＥＫ」に示された，使用商標を付した商品「財布」のメーカー品番，色及び値下げ前の金額と合致するから，本件商標権者が，「ＭＡＧＡＳＥＥＫ（ＬＨ）」を介して顧客に販売した商品「財布」には，使用商標が付されていたものと認められる。
　また，商品「財布」は，本件審判の請求に係る指定商品中，第１８類の「袋物」に含まれるものである。
（２）本件商標と使用商標の社会通念上の同一性について
　本件商標は，別掲のとおり，「ＬＩＯＮ　ＨＥＡＲＴ」の欧文字を，「クロイスター・ブラック」と呼ばれる書体に酷似する態様で横書きしてなるものである。
　他方，使用商標は，上記１のとおり，「ＬＩＯＮ　ＨＥＡＲＴ」の欧文字をセリフ体で書してなるところ，本件商標と書体のみに変更を加えた同一の文字からなるものであるから，社会通念上同一の商標と認められる。
（３）小括
　以上によれば，本件商標権者は，要証期間に，本件商標と社会通念上同一と認められる商標を付した，本件審判の請求に係る指定商品中第１８類「袋物」に含まれる「財布」を譲渡したものと認められる。
　そして，本件商標権者による上記行為は，「商品に標章を付したものを譲渡する行為」（商標法第２条第３項第２号）に該当するものである。
３　まとめ
　以上のとおり，被請求人は，本件審判の請求の登録前３年以内に日本国内において，本件商標権者が，その請求に係る指定商品中の第１８類「袋物」に含まれる「財布」について，本件商標（社会通念上同一のものを含む。）の使用をした事実を証明したものと認めることができる。
　したがって，本件商標の登録は，商標法第５０条の規定により，取り消すことができない。
　よって，結論のとおり審決する。